(57)【要約】【課題】動作回数の計数を、入り切り何れの動作で行うかを容易に選択，変更することができるとともに、動作確認が容易な開閉器を得る。【解決手段】主接点１と、主接点１を開閉操作する操作機構２と、第１のリレー接点３，投入コイル４，第１の補助接点５ａが直列接続され、外部からの入り指令により操作機構２を駆動して主接点１を投入動作させる入り動作回路６と、第２のリレー接点７，引き外しコイル８，第２の補助接点５ｂが直列接続され、外部からの切り指令により操作機構２を駆動して主接点１を遮断動作させる切り動作回路９と、入り動作回路６又は切り動作回路９に電気的に接続され、接続された回路の動作に連動して操作機構２の動作回数を計数するカウンタ１１とを備えた。【選択図】図１
2009289452.tif 000002
【特許請求の範囲】
【請求項１】
開閉器の主接点と、
前記主接点を開閉操作する操作機構と、
第１のリレー接点，投入コイル，及び第１の補助接点が直列接続され、外部からの入り指令により前記操作機構を駆動して前記主接点を投入動作させる入り動作回路と、
第２のリレー接点，引き外しコイル，及び第２の補助接点が直列接続され、外部からの切り指令により前記操作機構を駆動して前記主接点を遮断動作させる切り動作回路と、
前記入り動作回路又は前記切り動作回路に電気的に接続され、接続された前記動作回路の動作に連動して前記操作機構の動作回数を計数する電磁式又は電子式のカウンタとを備えた開閉器。
【請求項２】
請求項１記載の開閉器において、前記カウンタは、予め設定した動作回数に到達したときに、到達情報を発信する機能を有し、発信した前記到達情報を外部に伝達する出力回路を備えたことを特徴とする開閉器。
【発明の詳細な説明】
【技術分野】
【０００１】
この発明は、例えば、主接点を操作機構により操作し、その操作機構の動作回数を計数、表示するカウンタを備えた電力用途の開閉器に関するものである。
【背景技術】
【０００２】
従来の、開閉器の動作回数を計数、表示する技術としては、例えば、モータの回転力によって駆動ばねを駆動し、駆動バネの蓄勢と放勢を利用して主軸を高速駆動し、主軸に連結した開閉器本体を開閉する電動ばね操作方式の操作装置を用いた開閉器において、操作機装置内に主軸に機械的に連結したカウンタを設け、主軸の回動に連動してカウンタを動作させる技術が開示されている(例えば、特許文献１参照)。
【０００３】
【特許文献１】特開平５−８１９５７号公報（第２頁、図１）
【発明の開示】
【発明が解決しようとする課題】
【０００４】
特許文献１に開示されたような従来の開閉器の動作カウンタでは、操作装置の主軸とカウンタに具備されたレバーを機械的に連結し、開閉器の入又は切動作の何れか一方の動作に応じて、動作回数をカウントしていた。このため、入り動作での計数かあるいは切動作での計数かを変更することが困難であった。
また連結構造の駆動部位や他の操作機構の構成部品との配置上の制約から、カウンタは操作装置の駆動部位に比較的近い箇所に配置されるため、動作回数を読み取るためには開閉器に接近して確認する必要があった。この種の開閉器は、配電盤等に収納され、無人の設備環境下で運転されることが多く、動作回数を確認するためには、配電盤の設置場所まで出向かなければならないという問題点があった。
【０００５】
この発明は、上記のような問題点を解消するためになされたもので、動作回数の計数を、入り切り何れの動作で行うか容易に選択，変更することができ、また、動作確認を容易にできる開閉器を得ることを目的とする。
【課題を解決するための手段】
【０００６】
この発明に係わる開閉器は、開閉器の主接点と、主接点を開閉操作する操作機構と、第１のリレー接点，投入コイル，及び第１の補助接点が直列接続され、外部からの入り指令により操作機構を駆動して主接点を投入動作させる入り動作回路と、第２のリレー接点，引き外しコイル，及び第２の補助接点が直列接続され、外部からの切り指令により操作機構を駆動して主接点を遮断動作させる切り動作回路と、入り動作回路又は切り動作回路に電気的に接続され、接続された動作回路の動作に連動して操作機構の動作回数を計数する電磁式又は電子式のカウンタとを備えたものである。
【発明の効果】
【０００７】
この発明によれば、外部からの入り指令を受け主接点を投入動作させる入り動作回路と、外部からの切り指令を受けて主接点を遮断動作させる切り動作回路と、いずれかの動作回路に電気的に接続されて、接続された動作回路の動作に連動して操作装置の動作回数を計数するカウンタとを備えたので、動作回数の計数を、入り切り何れの動作で行うか容易に選択，変更することができる。また、カウンタの設置場所を自由に選択できるため、動作回数の確認が容易な開閉器を得ることができる。
【発明を実施するための最良の形態】
【０００８】
実施の形態１．
図１はこの発明の実施の形態１による開閉器の、動作回路部の構成を示す図である。
図において、開閉器の主接点１は、例えば、真空遮断器の場合であれば、その真空遮断器の遮断部を構成する真空バルブである。真空バルブは、真空容器の内部に固定接点と可動接点が接離可能に収容されている。
その主接点１に対し、リンク(図示せず)を介して開閉動作させる操作機構２が設けられている。操作機構２は、例えば、駆動ばねの蓄勢力を利用する電動ばね駆動方式や、電磁駆動方式のものが採用される。
【０００９】
この操作機構２を外部からの入り切り指令に応じて動作させる動作回路として、第１のリレー接点３と投入コイル４と第１の補助接点５ａとが直列接続され、外部からの入り指令により操作機構２を駆動して主接点１を投入動作させる入り動作回路６と、第２のリレー接点７と引き外しコイル８と第２の補助接点５ｂとが直列接続され、外部からの切り指令により操作機構２を駆動して主接点１を遮断動作させる切り動作回路９とを備えている。
第１の補助接点５ａはｂ接点であり、第２の補助接点はａ接点である。両補助接点５ａ，５ｂは連動して動作するようになっている。
【００１０】
切り動作回路９の引き外しコイル８に並列に、カウンタ部１０が接続されている。カウンタ部１０は、電磁式または電子式のカウンタ１１と、カウンタ１１に直列に接続されて、引き外しコイル８とカウンタ１１との動作電圧差を調整する抵抗１２とを備えている。
【００１１】
次に、動作について説明する。
先ず、開閉器の主接点１の投入動作から説明する。外部から入り指令が第１のリレー接点３に入力されて接点が閉じられると、第１の補助接点５ａが閉じているので回路に電流が流れ、投入コイル４が励磁され、操作機構２が動作して、主接点１が投入される。投入状態になると第１の補助接点５ａが開き、これに連動して第２の補助接点５ｂが閉じられる。
一方、主接点１の遮断動作時には、外部から切り指令が第２のリレー接点７に入力されて接点が閉じられると、第２の補助接点５ｂが閉じているので回路に電流が流れ、引き外しコイル８が励磁され、操作機構２が動作して、主接点１が遮断される。遮断状態になると第２の補助接点５ｂが開く。
【００１２】
上記の切り動作に連動して、切り指令により第２のリレー接点７が閉じられ引き外しコイル８に電流が流れると、カウンタ部１０にも電流が流れ、カウンタ１１は、操作機構２の切り動作回数を計数できる。
【００１３】
カウンタ部１０はリード線によって切り動作回路９に接続されているので、操作機構２に近接させて設置する必要はなく、設置位置を自由に選定できる。
なお、図１ではカウンタ部１０を切り動作回路９に接続した場合を示したが、操作機構２の入り動作回数を計数する場合は、入り動作回路６に並列接続することで同様の動作となる。この計数部位の変更は、結線を変更するだけで簡単に実施できる。
【００１４】
上記に説明した図１では、カウンタ部１０は、カウンタ１１と抵抗１２との直列回路としたが、カウンタ部の他の構成例を図２に示す。カウンタ部以外は図１と同等なので、同等部分は同一符号で示し、それらの説明を省略して、相違点を中心に説明する。
図２の開閉器のカウンタ部１３は、カウンタ１１と、それに直列に接続されたリレー接点１４で構成され、リレー接点１４は、第２のリレー接点７に同期させて動作するようにしている。
このような構成により、開閉器の主接点１の遮断動作時において、切り指令が入力され
て第２のリレー接点７が閉じられりと、同時に、それに連動したリレー接点１４が入り、カウンタ１１が作動して操作機構２の切り動作回数を計数できる。
【００１５】
この実施例によれば、カウンタ部１３は切り動作回路９に近接して設置する必要はなく、動作回数確認が容易な場所、例えば開閉器が無人の設備に設置されている場合であれば、遠方の入り切り指令操作をする集中制御装置にカウンタ９を配置することができ、遠方から容易に動作回数を確認することができる。
なお、図２では、カウンタ部１３を切り動作回路９に接続した場合を示したが、図１の場合と同様に、操作機構２の入り動作回数を計数する場合は、入り動作回路６側に接続すればよい。
【００１６】
以上のように、実施の形態１によれば、開閉器の主接点と、主接点を開閉操作する操作機構と、第１のリレー接点，投入コイル，及び第１の補助接点が直列接続され、外部からの入り指令により操作機構を駆動して主接点を投入動作させる入り動作回路と、第２のリレー接点，引き外しコイル，及び第２の補助接点が直列接続され、外部からの切り指令により操作機構を駆動して主接点を遮断動作させる切り動作回路と、入り動作回路又は切り動作回路に電気的に接続され、接続された動作回路の動作に連動して操作機構の動作回数を計数する電磁式又は電子式のカウンタとを備えたので、動作回数の計数を、入り切り何れの動作で行うか容易に選択，変更することができる。また、カウンタの設置場所を、動作回数の確認が容易な場所（例えば開閉器を収納する配電盤の扉面や開閉器から離れた集中制御装置）に自由に選択できるため、動作回数の確認が容易な開閉器を得ることができる。
【００１７】
実施の形態２．
図３は、実施の形態２による開閉器の、動作回路部の構成を図である。図１と同等部分は同一符号で示してそれらの説明を省略し、相違点を中心に説明する。
本実施の形態では、カウンタ部１５は、引き外しコイル８に並列に挿入されている。このカウンタ部１５は、電子式のカウンタ１６とカウンタ１６に直列に接続される抵抗１２で構成されている。カウンタ１６は、予め設定した回数に到達したときに、信号を発生するか、又は接点を動作させことで、到達情報を発信する機能を有している。また、この到達情報を、外部へ出力する動作回数出力回路１７を備えている。
なお、上記のカウンタ１６は、プログラマブル・カウンタとして一般に知られており、市販されているので、それらを使用すればよい。
【００１８】
カウンタ１６の動作について説明する。操作機構２の動作回数が、カウンタ１６に予め設定した回数に到達すると、カウンタ１６より信号を発生（又は、カウンタ１６の内部に設けられた接点が動作）する。この到達情報は、動作回数出力回路１７を通じて外部へ出力される。
なお、図３ではカウンタ部１５を切り動作回路９に接続した場合を示したが、操作機構２の入り動作回数を計数する場合は、入り動作回路６に接続すれば同様の動作となる。
【００１９】
以上のように、実施の形態２によれば、カウンタは、予め設定した動作回数に到達したときに、到達情報を発信する機能を有し、発信した到達情報を外部に伝達する出力回路を備えたので、実施の形態１の効果に加えて、設定の動作回数に達したことを確認して、例えば、操作機構の機構部の磨耗や主接点の磨耗・劣化度合いを推定し、点検時期等を容易に把握することが可能となる。
【図面の簡単な説明】
【００２０】
【図１】実施の形態１による開閉器の動作回路部の構成図である。
【図２】実施の形態１による開閉器の動作回路部の、他の例を示す構成図である。
【図３】実施の形態２による開閉器の動作回路部の構成図である。
【符号の説明】
【００２１】
１  主接点                            ２  操作機構
３  第１のリレー接点                  ４  投入コイル
５ａ  第１の補助接点                  ５ｂ  第２の補助接点
６  入り動作回路                      ７  第２のリレー接点
８  引き外しコイル                    ９  切り動作回路
１０，１３，１５  カウンタ部          １１，１６  カウンタ
１２  抵抗                            １４  リレー接点
１７  動作回数出力回路。
【図１】
2009289452.tif 000003
【図２】
2009289452.tif 000004
【図３】
2009289452.tif 000005